(57)【要約】【課題】ニンニク等の根菜作物３の比較的長い葉茎部３ａを複数に切断させて短寸化させ、耕耘爪による葉茎部３ａの鋤込みを容易且つ効率的となす。【解決手段】機体２の走行中に地中から引き抜かれて特定高さ位置まで搬送された根菜作物３を略水平後方へ搬送する葉茎部排出装置１４を備え、この葉茎部排出装置１４で搬送される葉茎部３ａをこの葉茎部排出装置１４の下側で切断するものとした葉茎部切断装置１８とを備えた根菜作物収穫機において、前記葉茎部排出装置１４の搬送終端部に位置されてこの葉茎部排出装置１４を駆動するものとなされた縦向き回転駆動軸２９ａ個所でしかも、前記葉茎部排出装置１４の上側となる個所に、前記葉茎部排出装置１４により搬送される葉茎部３ａを切断するものとした円板刃３０を固定する。【選択図】        図１
2004166535.tif 000002
【特許請求の範囲】
【請求項１】
条植された根菜作物の葉茎部を挟持搬送することにより根菜部を機体の走行中に地中から引き抜き上方へ搬送する挟持搬送装置と、挟持搬送装置に搬送された根菜部の高さを揃えながら後方へ搬送する高さ揃え搬送装置と、この高さ揃え搬送装置に搬送された葉茎部を略水平特定方向へ搬送するものとした葉茎部排出装置と、この葉茎部排出装置で搬送される葉茎部をこの葉茎部排出装置の下側で切断するものとした葉茎部切断装置とを備えた根菜作物収穫機において、前記葉茎部排出装置の上側に、前記葉茎部排出装置に搬送される葉茎部と交叉するように配置され且つ特定縦向き回転中心軸回りへ回転駆動される円板刃と、この円板刃の外周縁に平面視で部分的に重ね合わされた固定状の葉茎部逃げ規制体とを設けたことを特徴とする根菜作物収穫機。
【請求項２】
機体の走行中に地中から引き抜かれて特定高さ位置まで搬送された根菜作物を略水平後方へ搬送する葉茎部排出装置を備え、この葉茎部排出装置で搬送される葉茎部をこの葉茎部排出装置の下側で切断するものとした葉茎部切断装置とを備えた根菜作物収穫機において、前記葉茎部排出装置の搬送終端部に位置されこの葉茎部排出装置を駆動するものとなされた縦向き回転駆動軸の、前記葉茎部排出装置の上側となる個所に、前記葉茎部排出装置により搬送される葉茎部を切断するものとした円板刃を固定したことを特徴とする根菜作物収穫機。
【請求項３】
機体の走行中に根菜作物を地中から引き抜いて正立姿勢のまま上方の特定高さ位置まで搬送し続いて略水平特定方向へ搬送する根菜作物搬送手段を備え、この根菜作物搬送手段の搬送中に前記根菜作物の葉茎部の特定切断高さ位置を葉茎部切断装置で切断するものとした根菜作物収穫機において、前記葉茎部切断装置の上側に前記根菜作物搬送手段により搬送される葉茎部の前記特定切断高さ位置よりも上方位置を切断するものとした付加葉茎部切断装置を設け、該付加葉茎部切断装置が特定位置で回転駆動される一枚の円板刃と、この円板刃の外周縁に部分的に重なるように位置した固定状の葉茎部逃げ規制体とからなっていることを特徴とする根菜作物収穫機。
【請求項４】
機体の走行中に根菜作物を地中から引き抜いて正立姿勢のまま上方の特定高さ位置まで搬送し続いて略水平特定方向へ搬送する根菜作物搬送手段を備え、この根菜作物搬送手段の搬送中に前記根菜作物の葉茎部の特定切断高さ位置を葉茎部切断装置で切断するものとした根菜作物収穫機において、前記葉茎部切断装置の上側に前記根菜作物搬送手段により搬送される前記葉茎部の前記特定切断高さ位置よりも上方位置を切断するものとした付加葉茎部切断装置を設け、該付加葉茎部切断装置が特定位置で回転駆動される一枚の円板刃と、この円板刃と同心状に固定された葉茎部掻込み用のスターホイールとを備えていることを特徴とする根菜作物収穫機。
【請求項５】
前記根菜作物搬送手段により搬送される葉茎部を前記スターホイールの外周縁に押し当てるように案内する弾性案内部材を設けたことを特徴とする請求項４又は５記載の根菜作物収穫機。
【請求項６】
機体の走行中に根菜作物を地中から引き抜いて正立姿勢のまま上方の特定高さ位置まで搬送し続いて略水平特定方向へ搬送する根菜作物搬送手段を備え、この根菜作物搬送手段の搬送中に前記根菜作物の葉茎部の特定切断高さ位置を葉茎部切断装置で切断するものとした根菜作物収穫機において、前記葉茎部切断装置の上側に前記根菜作物搬送手段により搬送される前記葉茎部の前記特定切断高さ位置よりも上方位置を切断するものとした付加葉茎部切断装置を設け、該付加葉茎部切断装置が特定位置で回転駆動される一枚の円板刃と、前記根菜作物搬送手段により搬送される葉茎部を前記円板刃の外周縁に押し当てるように案内する弾性案内部材とを備えたことを特徴とする根菜作物収穫機。
【請求項７】
前記付加葉茎部切断装置を段差を設けて上下方向へ複数配設したことを特徴とする請求項３〜６記載の根菜作物収穫機。
【発明の詳細な説明】
【０００１】
【発明の属する技術分野】
本発明は、ニンニクや玉葱といった球形に近い根菜部を有する根菜作物を収穫する根菜作物収穫機に関するものである。
【０００２】
【従来の技術】
条植された根菜作物の葉茎部を挟持搬送することにより根菜部を機体の走行中に地中から引き抜き上方へ搬送する挟持搬送装置と、この挟持搬送装置に搬送された根菜部の高さを揃えながら後方へ搬送する高さ揃え搬送装置と、この高さ揃え搬送装置に搬送された葉茎部を上側及び下側の水平搬送部で挟持して略水平特定方向へ搬送するものとした葉茎部排出装置と、この葉茎部排出装置で搬送される葉茎部をこの葉茎部排出装置の下側で切断するものとした葉茎部切断装置とを備えた根菜作物収穫機は存在している（例えば、特許文献１参照）。
【０００３】
この根菜作物収穫機は、機体の走行中に、条植された根菜作物を地中から引き抜いて特定高さ位置まで搬送し、続いて略水平後方へ搬送し、この搬送中に葉茎部を根菜作物から切り離し、この後、根菜部を機体上に収集し、葉茎部を地上に排出するように作動する。
【０００４】
【特許文献１】
特開平２００１−０６１３２１号公報
【０００５】
【発明が解決しようとする課題】
上記した従来の根菜作物収穫機においては、前記葉茎部切断装置が根菜作物の葉茎部の長さ途中の一個所を切り離すのであり、この際の切離し位置は多くの場合その葉茎部の下寄り個所である。従って、ニンニクのような根菜作物では前記葉茎部切断装置で切り離された切断葉茎部の長さが５０ｃｍ以上に達することも珍しくないのであり、このように長い切断葉茎部は耕耘刃で鋤込もうとしても地中に埋没し難く、しかも耕耘刃に絡みつき易く、鋤込み作業を困難となすのである。
【０００６】
本発明はこのような問題点に鑑みて創案されたもので、即ち、地中から引き抜いた根菜作物の葉茎部を鋤込み易い長さ（例えば凡そ１５ｃｍ〜２５ｃｍ程度）に切断する処理を簡易構造により行わせることのできる根菜作物収穫機を提供することを目的とする。
【０００７】
【課題を解決するための手段】
上記目的を達成するため本発明の根菜収穫機は、請求項１に記載したように、条植された根菜作物の葉茎部を挟持搬送することにより根菜部を機体の走行中に地中から引き抜き上方へ搬送する挟持搬送装置と、挟持搬送装置に搬送された根菜部の高さを揃えながら後方へ搬送する高さ揃え搬送装置と、この高さ揃え搬送装置に搬送された葉茎部を略水平特定方向へ搬送するものとした葉茎部排出装置と、この葉茎部排出装置で搬送される葉茎部をこの葉茎部排出装置の下側で切断するものとした葉茎部切断装置とを備えた根菜作物収穫機において、前記葉茎部排出装置の上側に、前記葉茎部排出装置に搬送される葉茎部と交叉するように配置され特定縦向き回転中心軸回りへ回転駆動される一枚の円板刃と、この円板刃の外周縁に平面視で部分的に重ね合わされた固定状の葉茎部逃げ規制体とを設けた構成としている。
【０００８】
この発明では、前記葉茎部切断装置が前記挟持搬送装置により引き抜かれた根菜作物の特定高さ位置を正確に切断し、また前記葉茎部切断装置が切り離した葉茎部は前記葉茎部排出装置で搬送されるのであり、この搬送過程で、その長さ途中の特定高さ位置を一枚の円板刃が正確に切り離すものとなる。この際、前記葉茎部逃げ規制体が前記円板刃による切断を確実となす。従って、根菜作物の葉茎部は前記葉茎部切断装置と、前記一枚の円板刃とからなる比較的簡易な切断機構で特定長さに切り離されて従来よりも短寸化される。
【０００９】
また請求項２記載の発明は、機体の走行中に地中から引き抜かれて特定高さ位置まで搬送された根菜作物を略水平後方へ搬送する葉茎部排出装置を備え、この葉茎部排出装置で搬送される葉茎部をこの葉茎部排出装置の下側で切断するものとした葉茎部切断装置とを備えた根菜作物収穫機において、前記葉茎部排出装置の搬送終端部に位置され且つこの葉茎部排出装置を駆動するものとなされた縦向き回転駆動軸の、前記葉茎部排出装置の上側となる個所に、前記葉茎部排出装置により搬送される葉茎部を切断するものとした円板刃を固定した構成としている。
【００１０】
この発明では、前記葉茎部切断装置が根菜部から切り離した葉茎部は前記葉茎部排出装置でさらに後方へ搬送されるのであり、この搬送過程で、その長さ途中の特定高さ位置を一枚の円板刃が切り離すものとなる。この際、円板刃は前記葉茎部排出装置を駆動するものとなされた縦向き回転駆動軸に駆動されるため、簡易構造により駆動されるものとなる。そして、根菜作物の葉茎部は前記葉茎部切断装置と、前記円板刃とで特定長さに切り離されて従来よりも短寸化される。
【００１１】
また請求項３記載の発明は、機体の走行中に根菜作物を地中から引き抜いて正立姿勢のまま上方の特定高さ位置まで搬送し続いて略水平特定方向へ搬送する根菜作物搬送手段を備え、この根菜作物搬送手段の搬送中に前記根菜作物の葉茎部の特定切断高さ位置を葉茎部切断装置で切断するものとした根菜作物収穫機において、前記葉茎部切断装置の上側に前記根菜作物搬送手段により搬送される葉茎部の前記特定切断高さ位置よりも上方位置を切断するものとした付加葉茎部切断装置を設け、該付加葉茎部切断装置が特定位置で回転駆動される一枚の円板刃と、この円板刃の外周縁に部分的に重なるように位置した固定状の葉茎部逃げ規制体とからなっているものである。
【００１２】
この発明では、前記葉茎部切断装置が根菜部から切り離した葉茎部は前記根菜作物搬送手段でさらに後方へ搬送されるのであり、この搬送過程で、その長さ途中の特定高さ位置を一枚の円板刃が切り離すものとなる。この際、前記葉茎部逃げ規制体が前記円板刃による切断を確実となす。従って、根菜作物の葉茎部は前記葉茎部切断装置と、前記一枚の円板刃からなる比較的簡易構造となる切断機構とにより特定長さに切り離されて従来よりも短寸化される。
【００１３】
また請求項４記載の発明は、機体の走行中に根菜作物を地中から引き抜いて正立姿勢のまま上方の特定高さ位置まで搬送し続いて略水平特定方向へ搬送する根菜作物搬送手段を備え、この根菜作物搬送手段の搬送中に前記根菜作物の葉茎部の特定切断高さ位置を葉茎部切断装置で切断するものとした根菜作物収穫機において、前記葉茎部切断装置の上側に前記根菜作物搬送手段により搬送される前記葉茎部の前記特定切断高さ位置よりも上方位置を切断するものとした付加葉茎部切断装置を設け、該付加葉茎部切断装置が特定位置で回転駆動される一枚の円板刃と、この円板刃と同心状に固定された葉茎部掻込み用のスターホイールとを備えている構成としている。
【００１４】
この発明では、前記葉茎部切断装置が根菜部から切り離した葉茎部は前記根菜作物搬送手段でさらに後方へ搬送されるのであり、この搬送過程で、その長さ途中の特定高さ位置を一枚の円板刃が切り離すものとなる。この際、前記スターホイールが前記円板刃と同体状に回転駆動され、前記根菜作物搬送手段に搬送されている葉茎部を前記円板刃に掻き込んで該円板刃による切断を確実となす。従って、根菜作物の葉茎部は前記葉茎部切断装置と前記一枚の円板刃からなる比較的簡易構造となる切断機構とにより切り離されて従来よりも短寸化される。
【００１５】
上記した請求項３又は４記載の発明は次のように具体化するのがよいのであって、即ち、請求項５に記載したように、前記根菜作物搬送手段により搬送される葉茎部を前記スターホイールの外周縁に押し当てるように案内する弾性案内部材を設ける。このようにすれば、請求項３又は４記載の発明による作用が得られるほかに次のような作用が得られるのであって、即ち、前記スターホイールがこれと前記弾性案内部材との間に位置した葉茎部に後方への強制的な送り力を確実に付与して前記円板刃による葉茎部の切断を一層確実となす。
【００１６】
また請求項６記載の発明は、機体の走行中に根菜作物を地中から引き抜いて正立姿勢のまま上方の特定高さ位置まで搬送し続いて略水平特定方向へ搬送する根菜作物搬送手段を備え、この根菜作物搬送手段の搬送中に前記根菜作物の葉茎部の特定切断高さ位置を葉茎部切断装置で切断するものとした根菜作物収穫機において、前記葉茎部切断装置の上側に前記根菜作物搬送手段により搬送される前記葉茎部の前記特定切断高さ位置よりも上方位置を切断するものとした付加葉茎部切断装置を設け、該付加葉茎部切断装置が特定位置で回転駆動される一枚の円板刃と、前記根菜作物搬送手段により搬送される葉茎部を前記円板刃の外周縁に押し当てるように案内する弾性案内部材とを備えている構成としている。
【００１７】
この発明では、前記葉茎部切断装置が根菜部から切り離した葉茎部は前記根菜作物搬送手段でさらに後方へ搬送されるのであり、この搬送過程で、その長さ途中の特定高さ位置を一枚の円板刃が切り離すものとなる。この際、前記弾性案内部材が前記根菜作物搬送手段で搬送される葉茎部を前記円板刃に押し当てるようになるため、前記円板刃による葉茎部の切断が確実に行われるようになる。従って、根菜作物の葉茎部は前記葉茎部切断装置と前記一枚の円板刃からなる比較的簡易構造となる切断機構とにより特定長さに切り離されて従来よりも短寸化される。
【００１８】
上記した請求項３〜６の何れかに記載の発明は次のように具体化するのがよいのであって、即ち、請求項７に記載したように、前記付加葉茎部切断装置を段差を設けて上下方向へ複数配設する。このようにすれば、複数の前記付加葉茎部切断装置がニンニクのように長い葉茎部であっても、鋤込みに支障のない特定長さに寸断するものとなる。
【００１９】
【発明の実施の形態】
以下、本発明の実施の形態を図面を参照して説明する。図１は本発明に係る根菜作物収穫機の側面図、図２は前記根菜作物収穫機の平面図、図３は前記根菜作物収穫機の正面図であるが、この根菜作物収穫機（以下、収穫機という）は、クローラ形の走行装置１を有して自走機能を有する自走車体（機体）２で構成されている。ニンニク等の根菜作物３は、畝４に条植されることは前述したが、この収穫機は、まず、根菜作物３の葉茎部３ａを掴んで根菜部３ｂごと引き抜き、次いで、これを後上方に搬送して葉茎部３ａを切断し、根菜部３ｂのみを収穫するものであり、これを機体２が畝４に沿う方向に走行しながら行なう。
【００２０】
さらに詳細には、垂直面内の後上がり傾斜状に配列されたタイン５を後方回動させる分葉装置６によって、いまから収穫される葉茎部３ａとそうでない葉茎部３ａを分け、後上がり傾斜の水平面内で相互の軌跡内に入り込んで共に後方回動するタイン７からなる掻込装置８でいまから収穫する葉茎部３ａのみを後方に掻き込む。掻込装置８で掻き込まれた葉茎部３ａは、その後方に設けられている後上がり傾斜の水平面内で対向面によって葉茎部３ａを挟持しながら共に後方回動する一対のベルト９からなる挟持搬送装置１０で挟持されて根菜部３ｂを地中から引き抜かれる。このとき、挟持搬送装置１０の始端下部には、正面視Ｌ字形の振動刃１１が土中に差し込まれて根菜部３ｂの周りの土を緩める振動装置１２が設けられており、これによって引抜きが容易になる。
【００２１】
引き抜かれた根菜部３ｂは、葉茎部３ａと共に挟持搬送装置１０で後上方へと搬送されて行くが、このときの根菜作物３は、挟持搬送装置１０によってほぼ垂直の正立姿勢に吊持された状態となる。尚、葉茎部３ａの挟持位置は、挟持搬送装置１０の始端高さにより決定されることになり、この高さは適宜変更できる必要がある。そこで、この挟持搬送装置１０と、後述する高さ揃え搬送装置１３、葉茎部排出装置１４及び葉茎部保持搬送装置１５等とを一体状のセット１６に構成しておき、このセット１６を機体２に設けられた支点軸１７回りの上下に回動してそれを調整するようにしている。
上記構成において、挟持搬送装置１０、高さ揃え搬送装置１３、葉茎部排出装置１４及び葉茎部保持搬送装置１５が根菜作物搬送手段Ａをなすものである。
【００２２】
図４はセット１５の一部を示す側面図、図５は図４のｘ１−ｘ１部を示す図、図６は前記セット１５の一部を示す平面図、図７は前記セット１５の一部を示す後面図、図８は葉茎部排出装置の後部を示す平面図であるが、本例のセット１６は、前記挟持搬送装置１０、高さ揃え搬送装置１３、葉茎部排出装置１４、葉茎部保持搬送装置１５、葉茎部切断装置１８及び付加葉茎部切断装置１９からなっている。このうち、高さ揃え搬送装置１３は、挟持搬送装置１０のフレーム１０Ａに対して取付材２１によって挟持搬送装置１０の後部下方に吊支されるものであり、水平面内で対向面によって葉茎部３ａを挟持しながら共に後方回動する一対の水平方向に張設される無端状のベルト１３ａで構成されている。
【００２３】
葉茎部排出装置１４は下側の水平搬送部２２と上側の水平搬送部２３からなっているものであり、下側の水平搬送部２２は、その後部をフレーム１０Ａからから延出する支えアーム２４で、そして前部を同じくフレーム１０Ａに取り付けられるステ−２５で支持され、高さ揃え搬送装置１３の上方、且つ、挟持搬送装置１０の下方に位置され、その始端部が高さ揃え搬送装置１３の終端部と一部重合して設けられており、水平面内で対向面によって葉茎部３ａを挟持しながら共に後方回動する一対の水平方向に張設される無端状のベルト２２ａを備えた構成となされている。
【００２４】
そして、上側の水平搬送部２３は、支えアーム２４によって下側の水平搬送部２２の上方に設けられるものであり、水平面上で後方回動する無端状の突起付きチェン２３ａと、この突起付チェン２３ａに左方向へ弾性押圧される前後方向へ長い押板２６とで構成されており、突起付きチェン２３ａと押板２６とで葉茎部３ａを挟扼して後方へ搬送するものである。
【００２５】
葉茎部保持搬送装置１５は、その後部を支えアーム２４で、そして前部をステ−２５と同体状の図示しない支持部材で支持され、高さ揃え搬送装置１３の上方、且つ、下側の水平搬送部２２の下側近傍、且つ、葉茎部切断装置１８の上側近傍に位置され、その始端部が高さ揃え搬送装置１３の終端部と一部重合して設けられており、水平面内で対向面によって葉茎部３ａを挟持しながら共に後方回動する一対の水平方向に張設される無端状のベルト１５ａで構成されている。
【００２６】
葉茎部切断装置１８は、その下面部を支えアーム２４で支持され、高さ揃え搬送装置１３の後方、且つ、下側の水平搬送部２２の下側近傍に位置されるもので、縦向き回転中心軸２７ａ、２７ｂ回りへ該軸２７ａ、２７ｂと同体状に回動する左右一対の円板刃２８、２８を一部重合させると共に装置フレーム１８ａに対する高さ変更調整可能に設け、各円板刃２８をその重合部が後方へ向かう方向へ回転させるものとなしており、一対の円板刃２８、２８がその重合部で葉茎部３ａを挟み込んで切断するものである。
【００２７】
付加葉茎部切断装置１９は、支えアーム２４に支持されると共に、上側の水平搬送部２３の上側後端部に位置されるもので、縦向き回転中心軸２９ａ回りへ該軸２９ａと同体状に回動する一枚の円板刃３０を支えアーム２４に対する高さ変更調整可能に設け、この円板刃３０を平面視で葉茎部排出装置１４の葉茎部搬送経路（突起付チェン２３ａの右張り部ｍに略合致しているもの）と交叉させて、円板刃３０の重合部を後方へ向けて移動させるように回転させるものとなし、一方ではこの円板刃３０の右側にこの円板刃３０の外周縁と平面視で部分的に重ね合わせるように配設された固定状の葉茎部逃げ規制体３１を設け、また円板刃３０の上側には円板刃３０と同心に固定された葉茎部掻込み用のスターホイール３２を設け、このスターホイール３２の右側下方で葉茎部逃げ規制体３１の上側にバネ棒部材を屈曲させた弾性案内部材３３を設け、葉茎部排出装置１４によりこれの葉茎部搬送経路を後方へ搬送される葉茎部３ａを円板刃３０で切断するものである。
【００２８】
この際、葉茎部逃げ規制体３１は支えアーム２４と同体状部位に左右方向の位置調整変更可能に固定されたものであり、平面視において、円板刃３０の最右端部のやや前寄り部位と重なるように且つ前後向きの左側縁部ｎと円板刃３０の外周縁部分とをこれらの間の左右方向距離Ｌ１が漸次に狭まるように対向させると共に、左側縁部ｎの最前部の傾斜部ｎ１を斜め後左側へ向かわせ、続いて前後向き部ｎ２を形成し、続いて前後向き部ｎ２の最後部を円板刃３０の回転中心に向けて突出させた葉茎係止部ｎ３を形成しており、また側面視において、円板刃３０の上側に位置された上側規制部３１ａと、円板刃３０の下側に位置された下側規制部３１ｂとを備えると共に、下側規制部３１ｂを上側規制部３１ａよりも円板刃３０に近接させており、この際、上下側の規制部３１ａ、３１ｂを平面視同一形状となしてあり、また後面視において、下側規制部３１ｂと上側規制部３１ａとを平行状に配置してこれらの右端部で結合させ支持板部材３４を介して支えアーム２４と同体状に固定させている。
【００２９】
そしてスターホイール３２は、筒形スペーサ３５及びこれに挿通された長ボルト３６を介して円板刃３０の上面側に固定されて円板刃３０よりも凡そ５ｃｍから１０ｃｍ程度高く支持したもので、円板刃３０の直径よりも大きな直径となすと共に、外周囲には円板刃３０の外周よりも内側位置から半径外方向へ延出された多数の掻込み爪部３２ａを特定ピッチで形成しており、円板刃３０と葉茎部逃げ規制体３１との間に到達した葉茎部３ａを円板刃３０の外周縁の刃部に向けて掻き込むものである。
【００３０】
さらに弾性案内部材３３は固定部３７と案内部３８からなっていて一本のバネ棒部材を屈曲させたもので、固定部３７を前後向きＵ字形に形成すると共に案内部３８を葉茎部逃げ規制体３１の前端よりも前側から斜め後左側へ向かう前傾斜部３８ａと、これに続く前後向き部３８ｂと、これに続いて斜め後右側へ向かう後傾斜部３８ｃとで形成しており、平面視で前傾斜部３８ａを葉茎部逃げ規制体３１の傾斜部ｎ１よりも前側に位置させ、前後向き部３８ｂを葉茎部逃げ規制体３１の前後向き部ｎ２に概ね合致させ且つ円板刃３０の凡そ前半分範囲に位置させ、さらに後傾斜部３８ｃの後端を掻込み爪部３２ａの移動軌跡の外側に位置させており、円板刃３０の右前部に到達した葉茎部３ａを前傾斜部３８ａで支持してスターホイール３２の掻込み爪部３２ａ間へ案内し、案内部３８の最前部が弾性変形されて任意量の葉茎部３ａを円滑にスターホイール３２の掻込み爪部３２ａ間へ移動させ、前傾斜部３８ａ及び前後向き部３８ｂ及び後傾斜部３８ｃがこれらの葉茎部３ａをスターホイール３２の掻込み爪部３２ａ間に弾圧すると共に円板刃３０に対しても葉茎部逃げ規制体３１を補助するように弾圧するものである。
【００３１】
各縦向き回転中心軸２９ａ、２９ｂは支えアーム２４に回転自在に支持されており、左側の縦向き回転中心軸２９には、下側から順に、葉茎部保持搬送装置１５のベルト１５ａを掛けまわされて該ベルト１５ａを回転駆動するプーリ３９、下側の水平搬送部２２のベルト２２ａを掛けまわされて該ベルト２２ａを回転駆動するプーリ４０、上側の水平搬送部２３の突起付チェン２３ａを掛け回されて該突起付チェン２３ａを回転駆動するスプロケット４１、及び、左側の円板刃３０を固定されており、また右側の縦向き回転中心軸２９ｂには、下側から順に、葉茎部保持搬送装置１５のベルト１５ａを掛けまわされて該ベルト１５ａを回転駆動するプーリ３９、及び、下側の水平搬送部２２のベルト２２ａを掛けまわされて該ベルト２２ａを回転駆動するプーリ４０を同心状に固定されている。
【００３２】
これらの各装置はそれぞれ強制的に駆動されるが、その駆動機構は、次のようになっている。
先ず、前記した支点軸１７に伝動プーり４２を取り付け、エンジン４３からこれに伝動された動力をチェン又はベルト機構４４によって葉茎部切断装置１８の入カプーリ４５に伝えている。入カプーリ４５に伝えられた動力は装置本体部１８ａ内のベベルギア機構及び縦向き回転中心軸２７ａ、２７ｂを介して各々の円板刃２８、２８を駆動するようになっている。
【００３３】
葉茎部切断装置１８の入カプーリ４５に伝えられた動力は、該プーリ４５と同心のプーリ４５ａからさらにチェン又はベルト機構４６によって葉茎部排出装置１４の左右各側の入カプーり４７、４７に伝えられ、各々の入カプーリ４７に伝えられた動力は、ベベルギア機構４８、４８、縦向き回転中心軸２９ａ、２９ｂ及びプーリ４０、４０を介して下側の水平搬送部２２の左右各側のベルト２２ａ、２２ａを駆動するようになっている。
【００３４】
そして左側の入カプーリ４７に伝えられた動力は、左側の縦向き回転中心軸２９ａ及びスプロケット４１を介して上側の水平搬送部２３の突起付きチェン２３ａのほか一枚の円板刃３０及びスターホイール３２をも駆動するようになっている。さらに入カプーり４５ａ、４５ａと挟持搬送装置１０の入カプーリ２０とはチェン又はベルト機構４６によって連結されており、これによって挟持搬送装置１０のベルト９、９を駆動するようになっている。
【００３５】
一方、高さ揃え搬送装置１３への動力伝達は、これの終端プーリ４９、４９と葉茎部排出装置１４の始端プーリ５０、５０とを縦向き連結軸５１、５１を介して結合することにより行われるようになしている。この際の縦向き連結軸５１は、取付材２１と同体状に固定された図示しない軸受部材を介して回転自在に支持され、スプライン嵌合等を用いてその長さを調整できるものとなし、フレーム１０Ａに対する取付材２１の取付位置を変える等して高さ揃え搬送装置１３の全体を上下して葉茎部切断装置１８との間隔を変更し、切断する葉茎部３ａの長さを調整できるようにしておくのが好ましい。
【００３６】
上記した構造において、挟持搬送装置１０で葉茎部３ａを挟持された根菜作物３が高さ揃え搬送装置１３に到達すると、高さ揃え搬送装置１３にも挟持されて後方へ搬送される。このとき、高さ揃え搬送装置１３の後方に行くほど、挟持搬送装置１０との上下間隔が開くものとなるから、このままでは、葉茎部３ａが千切れてしまう（但し、水平搬送速度成分は同じに設定してある）。このため、高さ揃え搬送装置１３のベルト１３ａ、１３ａの挟持力を挟持搬送装置１０のベルト９、９のそれよりも弱くしておき、葉茎部３ａが一対のベルト１３ａ、１３ａ間を上方に滑り移動できるようにしている。しかし、根菜部３ｂはベルト１３ａ、１３ａ間を通過できないようにしてあり、従って、ベルト１３ａ、１３ａの搬送終端では、根菜部３ｂの肩（土部）がベルト１３ａ、１３ａの下端に擦り付けられまで上昇する。これにより、根菜作物３が高さ揃え搬送装置１３から後方へ外れるときには、根菜部３ｂの肩の高さが揃うようになる。
【００３７】
葉茎部３ａが高さ揃え搬送装置１３の終端付近にかかると、今度は、葉茎部排出装置１４の下側の水平搬送部２２でも挟持されて後方搬送される。このとき、高さ揃え搬送装置１３の終端部と下側の水平搬送部２２の始端部とは一部重合されているから、葉茎部３ａが高さ揃え搬送装置１３から外れない間に下側の水平搬送部２２が挟持することになり、受け継ぎが確実なものとなる。このときの葉茎部３ａは、挟持搬送装置１０、高さ揃え搬送装置１３及び下側の水平搬送部２２の三者で挟持される状態となるが、下側の水平搬送部２２のベルト２２ａ、２２ａの挟持力をこれら三者のうちで最大にしてあるため、挟持搬送装置１０で挟持された葉茎部３ａは、そのベルト９、９間で滑り移動して下降し、根菜部３ｂの高さは、下側の水平搬送部２２で挟持された高さを保たれる。この間、葉茎部３ａは挟持搬送装置１０のベルト９、９から解放され、続いて根菜部近傍個所を葉茎部保持搬送装置１５に挟持されるようになり、さらに上側の水平搬送部２３の突起付きチェン２３ａにも挟持されるようになる。
【００３８】
葉茎部３ａが下側の水平搬送部２２と上側の水平搬送部２３とで搬送され始めると（根菜部３ｂも一緒に付いて来る）、高さ揃え搬送装置１３から外れ、以後、葉茎部保持搬送装置１５より下方はフリーな状態となって葉茎部切断装置１８に到達し、左右一対の円板刃２８、２８はその重合部で葉茎部３ａを切断し根菜部３ｂ側をその上側の葉茎部３ａから切り離す。このときの円板刃２８、２８は、葉茎部３ａを共に押し出す方向に回転しており、これによって切断性能が高まる。ところで、葉茎部３ａの切断高さ（長さ）は、根菜部３ｂが高さ揃え搬送装置１３から外れると、以後、その高さは変わらないのであるから、高さ揃え搬送装置１３のベルト１３ａ、１３ａの下端と切断装置１８の円板刃２８、２８までの高さ（長さ）ということになる。この場合、高さ揃え搬送装置１３と葉茎部保持搬送装置１５は、斜設される挟持搬送装置１０の下方に共に水平状に設置されるのであるから、高さ揃え搬送装置１３と葉茎部保持搬送装置１５との間に十分な間隔がとれ、葉茎部３ａの切断長さも十分にとれることになる。ニンニク等では、根菜部３ｂ側に茎葉部３を長く残して収穫することがあり、それに対処できるようにしたものである。
【００３９】
葉茎部切断装置１８で切断された葉茎部３ａは、上側の水平搬送部２３と下側の水平搬送部２２によって機体２の後方へ挟持搬送される。この搬送により葉茎部３ａが円板刃３０の近傍に到達すると、弾性案内部材３３の前傾斜部３８ａが葉茎部３ａ上部に係合しその葉茎部３ａに押されてその量に応じた量だけ右側へ屈曲変形されると共に後方へ搬送される葉茎部３ａ上部をこれの後方移動に伴って漸次にスターホイール３１へ近接させ、葉茎部３ａがさらに後方へ搬送されたとき、弾性案内部材３３の前後向き部３８ｂが弾性案内部材３３の弾力でその葉茎部３ａ上部をスターホイール３２の掻込み爪部３２ａ間に押し付けた状態となるのであり、この状態の下で、スターホイール３２が円板刃３０と同体状に回転してこの円板刃３０の上側に位置した葉茎部３ａ部分を確実に後方へ送り移動させる。
【００４０】
この一方では葉茎部逃げ規制体３１がこれの傾斜部ｎ１に到達した葉茎部３ａをこれの後方移動に伴って漸次に円板刃３０へ近接させるのであり、この後、葉茎部３ａが葉茎部排出装置１４の搬送作用やスターホイール３２の掻込み作用などでさらに後方へ搬送されたとき、葉茎部逃げ規制体３１の上側規制部３１ａと下側規制部３１ｂとの前後向き部ｎ２が円板刃３０の外周縁の刃部内側まで押し変位させ、円板刃３０が葉茎部３ａを切断するものとなる。この切断処理において、葉茎部３ａの一部は円板刃３０で切断されることなく円板刃３０の外周縁で送り移動されるものが生じることがあるが、このような葉茎部３ａは最後部の葉茎係止部ｎ３に受け止められて送り移動を規制されるため円板刃３０により確実に切断されるものとなる。
【００４１】
こうして葉茎部３ａが円板刃３０で切断された後にも、弾性案内部材３３は切断された葉茎部３ａの切断位置よりも上側部位をスターホイール３２との間に挟み付けた状態となるため、その上側部位はスターホイール３２の回転と共に後方へ送り移動され円板刃３０の切断位置から後方へ送り出され地上に落下される。また円板刃３０で切断された葉茎部３ａの切断位置よりも下側部位は葉茎部排出装置１４により継続的に搬送されてその後端部から排出され地上に落下される。
【００４２】
円板刃３０で切断された後の葉茎部３ａのそれぞれはその長手方向の二個所を切断されて短寸化されており、これら葉茎部３ａ部分は収穫作業の終了した後、耕耘爪により鋤込まれるのであり、この際、短寸化された葉茎部３ａ部分は効率よく地中に埋没されるものとなる。
【００４３】
一方、葉茎部３ａを切断された根菜部３ｂは下方に落下するが、このとき、その下方に機体２の右側方向に移動するスラットコンベア５２からなる集荷装置５３が設けられており、落下した根菜部３ｂは、この集荷装置５３で受け止められて機体２の後部右側に送られる。機体２の後部右側個所は、選別ゾーン５４に設定されており、この収穫機に付いて移動する作業者がこの選別ゾーン５４で良品と不良品とを分け、良品は選別ゾーン５４より前方へ、不良品は後方へ送ってそれぞれ所定の集荷作業をする。
【００４４】
【発明の効果】
以上に記載した本発明によれば、次のような効果が得られる。
即ち、請求項１記載のものによれば、挟持搬送装置１０により地中から引き抜かれたニンニク等の根菜作物３の葉茎部３ａを葉茎部切断装置１８及び付加葉茎部切断装置１９により複数に切断させることができ、これにより切断処理後に地上に落下される葉茎部３ａの長さを短くしてその葉茎部３ａの耕耘爪による鋤込みを容易且つ効率的となすことができる。また円板刃３０を葉茎部排出装置１４の上側に位置させたため、切断された後の葉茎部３ａが葉茎部排出装置１４に絡み付くことの生じ難い構造となすことができる。また一枚の円板刃３０で葉茎部３ａを切断するようになしたため、葉茎部切断のための機構を簡易となすことができる。
【００４５】
請求項２記載のものによれば、請求項１記載の発明と同様な効果を得ることができる。
【００４６】
請求項３記載のものによれば、請求項１記載の発明の場合と同様に、切断処理後に地上に落下される葉茎部３ａの長さを短くしてその葉茎部３ａの耕耘爪による鋤込みを容易且つ効率的となすことができるものであり、さらには付加葉茎部切断装置１９を一枚の円板刃３０で簡易に形成することのできるものである。
【００４７】
請求項４記載のものによれば、請求項１記載の発明の場合と同様に、切断処理後に地上に落下される葉茎部３ａの長さを短くしてその葉茎部３ａの耕耘爪による鋤込みを容易且つ効率的となすことができ、且つ、一枚の円板刃３０で葉茎部３ａを切断するようになしたため、葉茎切断のための機構を簡易となすことができる。さらにはスターホイール３２に葉茎部３ａを掻き込ませて葉茎部３ａを円板刃３０に確実に切断させることができるものである。
【００４８】
請求項５記載のものによれば、請求項３又は４記載の発明による効果が得られるほかに次のような効果が得られるのであって、即ち、スターホイール３２による葉茎部３ａの円板刃３０側への掻込みを確実となして円板刃３０による葉茎部３ａの切断を一層的確に行わせることができる。
【００４９】
請求項６記載のものによれば、請求項１記載の発明の場合と同様に、切断処理後に地上に落下される葉茎部３ａの長さを短くしてその葉茎部３ａの耕耘爪による鋤込みを容易且つ効率的となすことができ、且つ、一枚の円板刃３０で葉茎部３ａを切断するようになしたため、葉茎切断のための機構を簡易となすことができる。さらには弾性案内部材３３に円板刃３０よりも上側の葉茎部３ａをその円板刃３０側へ案内させて、その円板刃３０による葉茎部３ａの切断を補助させることができる。
【００５０】
請求項７記載のものによれば、ニンニクのように長い葉茎部３ａであっても、鋤込みに支障のない特定長さ、例えば１５ｃｍ〜２５ｃｍ程度に寸断させることができる。
【図面の簡単な説明】
【図１】本発明に係る根菜作物収穫機の側面図である。
【図２】前記根菜作物収穫機の平面図である。
【図３】前記根菜作物収穫機の正面図である。
【図４】前記根菜作物収穫機の一部を示す側面図である。
【図５】図４のｘ１−ｘ１部を示す図である。
【図６】前記根菜作物収穫機の一部を示す平面図である。
【図７】前記根菜作物収穫機の一部を示す後面図である。
【図８】前記根菜作物収穫機の葉茎部排出装置の後部を示す平面図である。
【符号の説明】
２  機体
３  根菜作物
３ａ  葉茎部
３ｂ  根菜部
１０  挟持搬送装置
１３  高さ揃え搬送装置
１４  葉茎部排出装置
１８  葉茎部切断装置
１９  付加葉茎部切断装置
２９ａ  特定縦向き回転中心軸
３０  円板刃
３１  葉茎部逃げ規制体
３２  スターホイール
３３  弾性案内部材
Ａ  根菜作物搬送手段
【図１】
2004166535.tif 000003
【図２】
2004166535.tif 000004
【図３】
2004166535.tif 000005
【図４】
2004166535.tif 000006
【図５】
2004166535.tif 000007
【図６】
2004166535.tif 000008
【図７】
2004166535.tif 000009
【図８】
2004166535.tif 000010